(57)【要約】【課題】本発明は、負荷分散と機能分散との双方または何れかが図られたシステムにおいて、通信リンクを介して連係する上位装置および下位装置にかかわる構成の煩雑化と応答性や性能の低下とを来すことなく、ケーブルの誤接続が確実に検出できることを目的とする。【解決手段】下位装置との間に敷設された第一の布線および第二布線を介して下位装置と連係する上位装置において、第一の布線に割り付けられた第一の情報を第一の布線を介して下位装置に引き渡す送出手段と、第一の情報と、上位装置と異なる装置から引き渡された第二の情報とに基づいて下位装置によって生成され、かつ第二の布線を介して引き渡された応答に基づいて、第一の布線と第二の布線との双方または何れか一方の正誤を判別する判別手段とを備えて構成される。【選択図】      図１
2006031260.tif 000002
【特許請求の範囲】
【請求項１】
下位装置との間に敷設された第一の布線および第二布線を介して前記下位装置と連係する上位装置において、
前記第一の布線に割り付けられた第一の情報を前記第一の布線を介して前記下位装置に引き渡す送出手段と、
前記第一の情報と、前記上位装置と異なる装置から引き渡された第二の情報とに基づいて前記下位装置によって生成され、かつ前記第二の布線を介して引き渡された応答に基づいて、前記第一の布線と第二の布線との双方または何れか一方の正誤を判別する判別手段と
を備えたことを特徴とする上位装置。
【請求項２】
請求項１に記載の上位装置において、
前記応答は、
前記第一の情報と前記第二の情報との排他的論理和である
ことを特徴とする上位装置。
【請求項３】
請求項１または請求項２に記載の上位装置において、
前記送出手段は、
前記第一の布線を介して形成された通信リンクの余剰の伝送帯域を介して前記下位装置に前記第一の情報を引き渡す
ことを特徴とする上位装置。
【請求項４】
第一の布線を介して接続された第一の上位装置と、第二の布線を介して接続された第二の上位装置との双方または何れか一方と連係する下位装置において、
前記第一の布線と前記第二の布線とを介して、前記第一の上位装置と前記第二の上位装置とからそれぞれ引き渡された第一の情報と第二の情報とが反映された応答を生成し、かつ前記第一の布線を介して前記第一の上位装置宛に前記応答を引き渡す応答手段を備えた
ことを特徴とする下位装置。
【請求項５】
それぞれ非０の異なる値が割当てられた第１のポート群に含まれる第１のポートと、それぞれ非０の異なる値が割当てられた第２のポート群に含まれる第２のポートとを１つのユニットに接続する場合に、前記第１のポートと前記第２のポートとの組み合わせが所定の組み合わせに該当するかどうかを判定する判定方法において、
前記第１ポートから該ポートが割当てられた第１の値を前記ユニットヘ送信し、前記第２のポートから該ポートが割当てられた第２の値を前記ユニットヘ送信するステップと、
前記ユニットにて排他的論理和を求めた結果を前記第１ポート側前記第２ポート側のそれぞれに送信するステップと、
前記第１ポート側で、受信した結果と前記第１の値との排他的論理和を演算をし、演算結果が前記第２の値であるかどうか判定し、前記第２ポート側で、受信した結果と前記第２の値情報との所定の演算をし、演算結果が前記第１の値であるかどうか判定するステップと
を備えたことを特徴とする判定方法。
【発明の詳細な説明】
【技術分野】
【０００１】
本発明は、負荷分散と機能分散との双方または何れかが図られたシステムにおいて、通信リンクを介して連係する上位装置および下位装置と、これらの装置の間における接続の正誤を判定する判定方法とに関する。
【背景技術】
【０００２】
通信網等を構成する基幹装置は、主要部が冗長に構成され、かつ所定の監視制御の下で系構成が適切に設定されることによって信頼性が高く維持され、その基幹装置の故障に起因する被害の回避や波及の制限が図られている。
図６は、上位装置および下位装置が冗長に備えられた基幹装置の構成例を示す図である。
【０００３】
図において、上位装置３１-1、３１-2は、何れも常用冗長方式が適用され、かつ４つの通信ポートα０〜α３、β０〜β３をそれぞれ有する。下位装置３２Ａ-1、３２Ａ-2の対と、下位装置３２Ｂ-1、３２Ｂ-2の対とは、何れも待機冗長方式が適用され、かつ２つの通信ポートを個別に有する。また、これらの上位装置３１-1、３１-2と下位装置３２Ａ-11、３２Ａ-12、３２Ｂ-21、３２Ｂ-22との間には、例えば、ＵＴＰ(Un-shilded Twisted Pair) ケーブルや光ケーブルとして構成され、かつ通信リンクの形成に供される下記のケーブルが敷設される。
・  一端が上位装置３１-1の第一の通信ポートα０に接続され、かつ他端が下位装置３２Ａ-1の第一の通信ポートに接続されたケーブル３３-11A1
・  一端が上位装置３１-1の第二の通信ポートα１に接続され、かつ他端が下位装置３２Ａ-2の第一の通信ポートに接続されたケーブル３３-12A1
・  一端が上位装置３１-1の第三の通信ポートα２に接続され、かつ他端が下位装置３２Ｂ-1の第一の通信ポートに接続されたケーブル３３-13B1
・  一端が上位装置３１-1の第四の通信ポートα３に接続され、かつ他端が下位装置３２Ｂ-2の第一の通信ポートに接続されたケーブル３３-14B1
・  一端が上位装置３１-2の第一の通信ポートβ０に接続され、かつ他端が下位装置３２Ａ-1の第二の通信ポートに接続されたケーブル３３-21A2
・  一端が上位装置３１-2の第二の通信ポートβ１に接続され、かつ他端が下位装置３２Ａ-2の第二の通信ポートに接続されたケーブル３３-22A2
・  一端が上位装置３１-2の第三の通信ポートβ２に接続され、かつ他端が下位装置３２Ｂ-1の第二の通信ポートに接続されたケーブル３３-23B2
・  一端が上位装置３１-2の第四の通信ポートβ３に接続され、かつ他端が下位装置３２Ｂ-2の第二の通信ポートに接続されたケーブル３３-24B2
なお、下位装置３２Ａ-1、３２Ａ-2、３２Ｂ-1、３２Ｂ-2は、所定の伝送サービスに供される通信リンクとのインタフェースをとり、かつ上位装置３１-1、３１-2は、これらの通信リンクを介して伝送されるＡＴＭセルやパケット等のルーティングを行う。
【０００４】
このような構成の基幹装置では、上位装置３１-1、３１-2は、図示されない監視制御系が常用冗長方式に基づいて行う系構成の下で、それぞれ運用系および予備系として稼働する。さらに、このような運用系として稼働する上位蔵置３１-1に障害が発生した場合には、予備系として正常に稼働する上位装置３１-2は、上述した系構成の下で、上位装置３１-1に代わる運用系としての稼働を開始する。
【０００５】
また、下位装置３２Ａ-1、３２Ｂ-1と下位装置３２Ａ-2、３２Ｂ-2とは、上述した監視制御系によって直接行われ、あるいは上位装置３１-1（３１-2）を介して行われる系構成の下で、例えば、それぞれ運用系および予備系として稼働する。
このような状態では、上位装置３１-1は、ケーブル３３-11A1 を介して運用系である下位装置３２Ａ-1と相互に種々の情報を交換することによって連係し、その下位装置３２Ａ-1の状態の正否を所定の頻度で判別する。
【０００６】
下位装置３２Ａ-1の状態が正常ではないと判別された場合には、その下位装置３２Ａ-1は、上位装置３１-1、またはその上位装置３１-1と連係する監視制御系によって行われる系構成の下で、運用系と予備系との何れでもない待機系に設定され、かつ正常に稼働している下位３２Ａ-2は、上述した下位装置３２Ａ-1に代わる運用系としての稼働を開始する。
【０００７】
なお、下位装置３２Ｂ-1、３２Ｂ-2についても、個々の状態の正否の判別と、これらの判別の結果に基づく系構成の制御とは、上位装置３１-1（３１-2）、またはその上位装置３１-1（３１-2）と連係する監視制御系によって同様に行われる。
また、上述したケーブル３３-11A1、３３-12A1、３３-13B1、３３-14B1、３３-21A2、３３-22A2、３３-22B2、３３-24B2 については、図６に示すように、これらのケーブル３３-11A1、３３-12A1、３３-13B1、３３-14B1、３３-21A2、３３-22A2、３３-23B2、３３-24B2 の両端に個別に接続されたコネクタ（図示されない。）に既知のユニークな番号（１、１０１）、（２、１０３）、（３、１０５）、（４、１０７）、（５、１０２）、（６、１０４）、（７、１０６）、（８、１０８）が付与され、これらのコネクタを介してそれぞれ引き渡された番号と既知の正規の番号との異同として、誤接続が検出される。
【０００８】
なお、本発明に関連する先行技術としては、例えば、後述する特許文書１に掲載されるように、「入出力装置のそれぞれにどのようなＩ／Ｏモジュールが実装されているべきかを示すＩＤ情報が制御演算装置側から入出力装置内の伝送制御モジュールに通知され、その伝送制御モジュールにて別途収集し保持しているＩＤ情報とが比較され、その結果が伝送制御モジュールから制御演算装置へ伝送されることによって、Ｉ／Ｏモジュールの誤実装や故障に起因する制御上の不都合が未然に防止される点に特徴があるプロセス制御装置」がある。
【特許文献１】特開平７−１５２６７９号公報
【発明の開示】
【発明が解決しようとする課題】
【０００９】
ところで、上述した従来例では、上位装置と下位装置とは、綜合的に高い信頼性の確保や維持を目的として冗長に構成される。
したがって、異なる機能や負荷の分散に供される上位装置や下位装置の数が多いほど、これらの上位装置と下位装置との間に敷設されるケーブルの本数に併せて、既述のユニークな番号の数が増加し、これらのケーブルの接続にかかわる作業が煩雑となって多くの工数を要し、しかも、その作業の過程でケーブルの誤接続が行われる可能性が高かった。
【００１０】
また、このような誤接続は、ケーブルの切断（物理的な切断だけではなく、コネクタとの電気的な接続の不良等に起因する切断を含む。）や接続の漏れ（上述した作業の漏れだけではなく、ケーブルの端部におけるコネクタとの接続の漏れを含む。）を検出する機能が備えられていても、検出されるとは限らず、しかも、既述の作業の後に行われる目視による検査の過程では、用いられているケーブルが正規ではなくても外見上では接続が一応完了しているため、容易には判別され難かった。
【００１１】
さらに、上述したユニークな番号の数の増加は、コネクタに確保される予備のピン数が増加し、あるいは該当するコネクタに接続されたケーブルの実効的な伝送速度が低下する要因となる可能性が高かった。
本発明は、構成の煩雑化と応答性や性能の低下とを来すことなく、ケーブルの誤接続が確実に検出できる上位装置、下位装置および判定方法を提供することを目的とする。
【課題を解決するための手段】
【００１２】
第一の発明では、下位装置との間に敷設された第一の布線および第二布線を介して下位装置と連係する上位装置において、送出手段は、第一の布線に割り付けられた第一の情報を第一の布線を介して下位装置に引き渡す。判別手段は、第一の情報と、上位装置と異なる装置から引き渡された第二の情報とに基づいて下位装置によって生成され、かつ第二の布線を介して引き渡された応答に基づいて、第一の布線と第二の布線との双方または何れか一方の正誤を判別する。
【００１３】
このような応答は、上述した第一の情報、第二の情報および応答を生成する処理の手順に応じて第一および第二の布線の双方が正常であるか否かの判別の基準となる。
したがって、第一の布線を介して行われる下位装置との連係の下で、その第一の布線と、上述した異なる装置との間に敷設された第二の布線との双方または何れか一方の誤接続、接続漏れおよび断線の判別が可能となる。
【００１４】
第二の発明では、応答は、第一の情報と第二の情報とに基づいて定まるユニークな語である。
すなわち、下位装置から引き渡される応答は、上述した第一の情報と第二の情報との組み合わせがユニークであるために、本発明にかかわる上位装置の配下で稼働する下位装置が複数あるいは多数ある場合であっても、上述した語接続、接続漏れおよび断線が確度高く判別される。
【００１５】
したがって、配下の下位装置に適用された冗長構成と、これらの下位装置に機能や負荷が分散される多様な形態に対する柔軟な適応が可能となる。
第三の発明では、応答は、第一の情報と第二の情報との排他的論理和である。
すなわち、下位装置における応答の生成は、ビット単位の論理演算として高速に、かつ安価に達成される。
【００１６】
したがって、下位装置だけではなく、本発明にかかわる上位装置の構成の簡略化が図られ、かつ応答性が高められる。
第四の発明では、第一の情報は、第二の情報と応答との排他的論理和である。
すなわち、下位装置における応答の生成だけではなく、上位装置における第一の布線と第二の布線との正誤の判別がビット単位の論理演算として高速に、かつ安価に達成される。さらに、上述した第一の情報は、このような判別のために行われる排他的論理和演算の下で既述の第二の情報に変換されるにもかかわらず、その判別の基準としての適用が可能となる。
【００１７】
したがって、誤接続、接続の漏れおよび断線の判別にかかわる確度や速度が損なわれることなく、第一の情報、第二の情報および応答の語長の短縮が可能となる。
第五の発明では、送出手段は、第一の布線を介して形成された通信リンクの余剰の伝送帯域を介して下位装置に第一の情報を引き渡す。
すなわち、第一の情報は、第一の布線を介して形成された通信リンクの伝送方式や通信手順との互換性が損なわれることなく、下位装置に引き渡される。
【００１８】
したがって、多様な伝送方式や通信手順に対する柔軟な適応が図られる。
第六の発明では、応答は、第二の布線を介して形成された通信リンクの余剰の伝送帯域を介して下位装置から引き渡される。
すなわち、応答は、第二の布線を介して形成された通信リンクの伝送方式や通信手順との互換性が損なわれることなく、上位装置に引き渡される。
【００１９】
したがって、多様な伝送方式や通信手順に対する柔軟な適応が図られる。
第七の発明では、第一の布線を介して接続された第一の上位装置と、第二の布線を介して接続された第二の上位装置との双方または何れか一方と連係する下位装置において、応答手段は、第一の布線と第二の布線とを介して、第一の上位装置と第二の上位装置とからそれぞれ引き渡された第一の情報と第二の情報とが反映された応答を生成し、かつ第一の布線を介して第一の上位装置宛に応答を引き渡す。
【００２０】
このような応答には、上述した第一の布線と第二の布線との双方にかかわる誤接続、接続の漏れおよび断線が反映される。
したがって、このような応答が引き渡される上位装置は、第一の布線だけではなく、第二の布線についても、誤接続、接続の漏れおよび断線を判別することが可能となる。
第八の発明では、応答手段は、第二の布線を介して第二の上位装置宛に応答を引き渡す。
【００２１】
このような応答は、第一の上位装置だけではなく、本発明にかかわる下位装置と連係する他の上位装置にも引き渡される。
したがって、既述の誤接続、接続の漏れおよび断線は、上記の他の上位装置によっても識別される。
第九の発明では、応答手段は、第一の布線と第二の布線との内、応答の引き渡しに供される一方の布線に対応した演算に基づいて応答を個別に生成する。
【００２２】
このような応答は、その応答の引き渡しに供される布線毎に個別に生成される。
したがって、その応答の生成に供される第一の情報と第二の情報との双方または何れか一方が他の上位装置によって送出される第一または第二の情報と同じであっても、本発明にかかわる下位装置から上位装置に至る上りのリンクの形成に供される布線の正誤の判別が確度高く達成される。
【００２３】
第十の発明では、応答手段は、第一の情報と第二の情報との排他的論理和として応答を生成する
このような応答は、ビット単位の論理演算として高速に、かつ安価に達成され、しかも、既述の第一の情報と第二の情報とが反映されているにもかかわらず、上位装置において既述の判別のために行われる排他的論理和演算の下でこれらの第一の情報または第二の情報への変換と、その変換の後に行われる判別の基準としての適用とが可能である。
【００２４】
したがって、誤接続、接続の漏れおよび断線の判別の確度や速度が損なわれることなく、第一の情報、第二の情報および応答の語長の短縮が可能となる。
第十一の発明では、応答手段は、応答に対する下位装置の属性の反映を図る。
すなわち、上位装置では、下位装置から引き渡される応答に反映され、その応答を生成した下位装置の属性に基づいて、既述の判別を行うことができる。
【００２５】
したがって、誤接続、接続の漏れおよび断線が生じている布線の特定の効率や確度の向上が図られる。
また、第十二の発明は、それがれ非０の異なる値が割当てられた第１のポート群に含まれる第１のポートと、それぞれ非０の異なる値が割当てられた第２のポート群に含まれる第２のポートとを１つのユニットに接続する場合に、第１のポートと第２のポートとの組み合わせが所定の組み合わせに該当するかどうかを判定する判定方法において、第１ポートから該ポートが割当てられた第１の値をユニットヘ送信し、第２のポートから該ポートが割当てられた第２の値をユニットヘ送信するステップと、ユニットにて排他的論理和を求めた結果を第１ポート側第２ポート側のそれぞれに送信するステップと、第１ポート側で、受信した結果と第１の値との排他的論理和を演算をし、演算結果が第２の値であるかどうか判定し、第２ポート側で、受信した結果と第２の値情報との所定の演算をし、演算結果が第１の値であるかどうか判定するステップとを備えて構成される。
【００２６】
上述した受信した結果は、何れもその結果および既述の第１および第２の値を生成する演算の手順に応じて第一および第二のポートとユニットとの間の接続が正常であるか否かの判別の基準となる。
したがって、上述したユニットとの連係の下で、このような接続の誤接続、接続漏れおよび断線の判別が達成される。
【発明の効果】
【００２７】
上述したように第一の発明では、第一の布線を介して行われる下位装置との連係の下で、その第一の布線と、既述の異なる装置との間に敷設された第二の布線との双方または何れか一方の誤接続、接続漏れおよび断線の判別が可能となる。
また、第二の発明では、配下の下位装置に適用された冗長構成と、これらの下位装置に機能や負荷が分散される多様な形態に対する柔軟な適応が可能となる。
【００２８】
さらに、第三の発明では、下位装置だけではなく、本発明にかかわる上位装置の構成の簡略化が図られ、かつ応答性が高められる。
また、第四および第十の発明では、誤接続、接続の漏れおよび断線の判別にかかわる確度や速度が損なわれることなく、第一の情報、第二の情報および応答の語長の短縮が可能となる。
【００２９】
さらに、第五および第六の発明では、多様な伝送方式や通信手順に対する柔軟な適応が図られる。
また、第七の発明では、応答が引き渡される上位装置は、第一の布線だけではなく、第二の布線についても、誤接続、接続の漏れおよび断線を判別することが可能となる。
さらに、第八の発明では、誤接続、接続の漏れおよび断線は、既述の他の上位装置によっても識別される。
【００３０】
また、第九の発明では、応答の生成に供される第一の情報と第二の情報との双方または何れか一方が他の上位装置によって送出される第一または第二の情報と同じであっても、本発明にかかわる下位装置から上位装置に至る上りのリンクの形成に供される布線の正誤の判別が確度高く達成される。
さらに、第十一の発明では、誤接続、接続の漏れおよび断線が生じている布線の特定の効率や確度の向上が図られる。
【００３１】
また、第十二の発明では、既述のユニットとの連係の下で、そのユニットとの間における第一のポートまたは第二のポートの接続の誤接続、接続漏れおよび断線の判別が達成される。
したがって、これらの発明が適用された装置やシステムでは、保守や運用にかかわる効率および柔軟性が向上し、かつコストの削減が図られると共に、総合的な信頼性が高められる。
【発明を実施するための最良の形態】
【００３２】
以下、図面に基づいて本発明の実施形態について詳細に説明する。
図１は、本発明の第一および第二の実施形態を示す図である。
図において、上位装置１１-1、１１-2は、何れも常用冗長方式が適用され、かつ４つの通信ポートα０〜α３、β０〜β３を有する。下位装置１２Ａ-1、１２Ａ-2の対と、下位装置１２Ｂ-1、１２Ｂ-2の対とは、何れも待機冗長方式が適用され、かつ２つの通信ポートを個別に有する。また、これらの上位装置１１-1、１１-2と下位装置１２Ａ-11、１２Ａ-12、１２Ｂ-21、１２Ｂ-22との間には、下記のケーブルが敷設される。
・  一端が上位装置１１-1の第一の通信ポートα０に接続され、かつ他端が下位装置１２Ａ-1の第一の通信ポートに接続されたケーブル３３-11A1
・  一端が上位装置１１-1の第二の通信ポートα１に接続され、かつ他端が下位装置１２Ａ-2の第一の通信ポートに接続されたケーブル３３-12A1
・  一端が上位装置１１-1の第三の通信ポートα２に接続され、かつ他端が下位装置１２Ｂ-1の第一の通信ポートに接続されたケーブル３３-13B1
・  一端が上位装置１１-1の第四の通信ポートα３に接続され、かつ他端が下位装置１２Ｂ-2の第一の通信ポートに接続されたケーブル３３-14B1
・  一端が上位装置１１-2の第一の通信ポートβ０に接続され、かつ他端が下位装置１２Ａ-1の第二の通信ポートに接続されたケーブル３３-21A2
・  一端が上位装置１１-2の第二の通信ポートβ１に接続され、かつ他端が下位装置１２Ａ-2の第二の通信ポートに接続されたケーブル３３-22A2
・  一端が上位装置１１-2の第三の通信ポートβ２に接続され、かつ他端が下位装置１２Ｂ-1の第二の通信ポートに接続されたケーブル３３-23B2
・  一端が上位装置１１-2の第四の通信ポートβ３に接続され、かつ他端が下位装置１２Ｂ-2の第二の通信ポートに接続されたケーブル３３-24B2
上位装置１１-1の第一ないし第四の通信ポートα０〜α３と、上位装置１１-2の第一ないし第四の通信ポートβ０〜β３とには、図２に示すように、語長が共に３ビットであり、かつユニークである２つの語が予め個別に割り付けられる。
【００３３】
なお、以下では、上位装置１１-1の第一の通信ポートα０には、図２に示すように、上述した２つの語として、「００１」（＝Ａ１１）、「０１０」（＝Ｂ１１）が設定され、かつ上位装置１１-2の第一の通信ポートβ０には、同図に示すように、同様の２つの語として「０１０」（＝Ａ２１＝Ｂ１１）、「００１」（＝Ｂ２１＝Ａ１１）が設定されると仮定する。
［第一の実施形態］
以下、図１および図２を参照して本発明の第一の実施形態の動作を説明する。
【００３４】
上位装置１１-1は、第一の通信ポートα０を介して下位装置１２Ａ-1宛に、上述した語Ａ１１（＝００１）を所定の周期で送出する。
また、上位装置１１-2は、同様の周期で第一の通信ポートβ０を介して下位装置１２Ａ-1宛に、上述した語Ａ２１（＝１０１）を送出する。
これらの語Ａ１、Ａ２は、ケーブル３３-11A1、３３-21A2が正常に敷設されている場合には、それぞれ下位装置１２Ａ-1の第一および第二の通信ポートを介してその下位装置１２Ａ-1に引き渡される。
【００３５】
下位装置１２Ａ-1は、このようにして引き渡された語Ａ１、Ａ２の排他的論理和をとることによって、下式(1)(ただし、演算子「(＋)」は排他的論理和を意味する。）で示される語（以下、単に「応答」という。）Ｃを生成する。
Ｃ＝Ａ１１(＋)Ａ２１＝００１(＋)０１０＝０１１  …(1)
さらに、下位装置１２Ａ-1は、第一および第二の通信ポートを介して上位装置１１-1、１１-2宛に、この応答Ｃを送出する。
【００３６】
上位装置１１-1は、このようにして下位装置１２Ａ-1から引き渡された応答Ｃと上述した語Ａ１、Ｂ１とに対して下式(2) が成立するかどうか判別する。
Ａ１１＝Ｂ１１(＋)Ｃ  …(2)
上式(2) は、ケーブル３３-11A1、３３-21A2が正常に敷設されている場合には、上式(1) に併せて、既述の関係式Ａ２１＝Ｂ１１が代入されることによって、下式(3) に示すように成立する。
【００３７】
Ａ１１＝Ｂ１１(＋)Ｃ
＝Ｂ１１(＋)Ａ１１(＋)Ａ２１
＝Ｂ１１(＋)Ａ１１(＋)Ｂ１１＝Ａ１１  …(3)
また、上位装置１１-2は、このようにして下位装置１２Ａ-1から引き渡された応答Ｃと上述した語Ａ２、Ｂ２とに対して下式(4) が成立するかどうか判別する。
【００３８】
Ａ２１＝Ｂ２１(＋)Ｃ  …(4)
上式(4) は、ケーブル３３-11A1、３３-21A2が正常に敷設されている場合には、上式(1) に併せて、既述の関係式Ｂ２１＝Ａ１１が代入されることによって、下式(5) に示すように成立する。
Ａ２１＝Ｂ２１(＋)Ｃ
＝Ｂ２１(＋)Ａ１１(＋)Ａ２１
＝Ａ１１(＋)Ａ１１(＋)Ａ２１＝Ａ２１  …(5)
しかし、上式(2)、(4)は、ケーブル３３-11A1、３３-21A2の何れか一方または双方が敷設されず、あるいは正常に敷設されていない場合には、成立しない。
【００３９】
また、上位装置１１-1、１１-2は、何れも個別に有する第二ないし第四の通信ポートについても、既述の処理と同様の処理を行い、かつ下位装置１２Ａ-2、１２Ｂ-1、１２Ｂ-2は、何れも、下位装置１２Ａ-1によって行われるように応答を生成する処理を行う。
したがって、本実施形態によれば、上位装置１１-1の第一ないし第四の通信ポートα−〜α３の集合と、上位装置１１-2の第一ないし第四の通信ポートβ０〜β３との集合とを介して対応する下位装置宛に送出される語に共通の語が含まれない場合には、ケーブル３３-11A1、３３-12A1、３３-13B1、３３-14B1、３３-21A2、３３-22A2、３３-23B2、３３-24B2の何れについても、これらのケーブル３３-11A1、３３-12A1、３３-13B1、３３-14B1、３３-21A2、３３-22A2、３３-23B2、３３-24B2を介して引き渡される語と、応答とのサイズが短いにもかかわらず、誤接続に併せて、切断や接続の漏れが確実に検出される。
【００４０】
以下、本実施形態によって誤接続が検出される過程を具体的な例に基づいて示す。
(A) ケーブル３３-12A1、３３-21A2の一端がそれぞれ下位装置１２Ａ-1の第二の通信ポートと、下位装置１２Ａ-2の第一の通信ポートとに誤接続された場合（図３(1)、(2))
・  このような場合には、下位装置１２Ａ-1によって生成された応答は「０１１」（＝００１(＋)０１０）となるが、この応答は上位装置１１-2宛には送出されず、上位装置１１-1の第二の通信ポートα１を介してその上位装置１１-1に引き渡される。上位装置１１-1は、その第二の通信ポートα１を介してこの応答（＝０１１）を受信し、上式(4) に準じた排他的論理和（＝０００＝０１１(＋)０１１）を求めるが、その値が語Ａ２１（＝０１０）に等しくないので、この第二の通信ポートに接続されたケーブル３３-12A1 に誤接続があることを識別する。
・  また、下位装置１２Ａ-2によって生成された応答は「００１」（＝０１０(＋)０１１）となるが、この応答は上位装置１１-1宛には送出されず、上位装置１１-2の第一の通信ポートβ０を介してその下位装置１１-2に引き渡される。上位装置１１-2は、その第一の通信ポートβ０を介してこの応答（＝００１）を受信し、上式(2) に準じた排他的論理和（＝０００＝００１(＋)００１）を求めるが、その値が語Ａ２１（＝０１０）に等しくないので、この第一の通信ポートに接続されたケーブル３３-21A2 に誤接続があることを識別する。
(B) ケーブル３３-12A1 の一端が下位装置１２Ａ-1の第一の通信ポートではなく、図４に点線で示すように、下位装置１２Ｂ-1の第一の通信ポートに接続された場合
・  このような場合には、下位装置１２Ｂ-1によって生成された応答は「０１１」（＝０１０(＋)００１）となるが、この応答は上位装置１１-1の第二の通信ポートα１を介してその上位装置１１-1に引き渡される。上位装置１１-1は、その応答（＝０１１）に基づいて上式(4) に準じた排他的論理和（＝０００＝０１１(＋)０１１）を求めるが、その値が語Ａ２１（＝０１０）に等しくないので、この第二の通信ポートに接続されたケーブル３３-12A1 に誤接続があることを識別する。
(C) 図５に「×」印を付して示すように、ケーブル３３-11A1 を介して形成される下りのリンクに接続（ケーブル３３-11A1 の両端または一端におけるコネクタとの接続を含む。）の漏れや断線がある場合
・  このような場合には、下位装置１２Ａ-1によって生成される応答は、上位装置１１-1から既述の語Ａ１１（＝００１）が引き渡されないために、例えば、上記の接続の漏れや断線に応じて発生する「０００」と、上位装置１１-2から正常に引き渡された語「０１０」との排他的論理和である「０１０」となる。
・  上位装置１１-1は、その応答に基づいて上式(2) に準じた排他的論理和（＝０００＝０１０(＋)０１０）を求めるが、その値が語Ａ１１（＝００１）に等しくないので、該当する第一の通信ポートに接続されたケーブル３３-12A1 に誤接続、断線、接続の漏れがある可能性を識別する。
・  また、上位装置１１-2は、同様の応答に基づいて上式(2) に準じた排他的論理和（＝０１１＝０１０(＋)００１）を求めるが、その値が語Ａ２１（＝０１０）に等しくないので、該当する第一の通信ポートに接続されたケーブル３３-21A2 に誤接続や接続の漏れがある可能性を識別する。
【００４１】
なお、本実施形態では、下位装置１２Ａ-1は、上位装置１１-1、１１-2の双方に共通の応答Ｃを送出している。
しかし、このような応答Ｃは、下位装置１２Ａ-1、１２Ａ-2、１２Ｂ-1、１２Ｂ-2によって宛先の上位装置毎に個別に求められてもよい。
また、本実施形態では、下記の条件(1)〜(3)を満たす語の組み合わせが上位装置１１-1、１１-2の第一ないし第四の通信ポートに割り付けられ、かつ既述の応答と、その応答の生成に適用される２つの語（Ａ１１、Ａ２１等）との語長が、何れも、上位装置１１-1、１１-2の下位に接続可能な下位装置の最大の台数ｎ（ここでは、「１６」であると仮定する。）を表現可能な最小の５（≧log2(１６×２)) ビットより小さな３ビットに短縮されている。
(1) 上位装置１１-1の第一ないし第四の通信ポートα０〜α３に割り付けられた語Ａ１１〜Ａ１４と、上位装置１１-2の第一ないし第四の通信ポートβ０〜β３に割り付けられた語Ａ２１〜Ａ２４との間には、同じ語が含まれない。
(2) 上位装置１１-1の第一ないし第四の通信ポートα０〜α３に割り付けられる語Ｂ１１〜Ｂ１４は、上位装置１１-2の第一ないし第四の通信ポートβ０〜β３に割り付けられた語Ａ２１〜Ａ２４にそれぞれ等しい。
(3) 上位装置１１-2の第一ないし第四の通信ポートβ０〜β３に割り付けられる語Ｂ２１〜Ｂ２４は、上位装置１１-1の第一ないし第四の通信ポートα０〜α３に割り付けられた語Ａ１１〜Ａ１４にそれぞれ等しい。
【００４２】
したがって、下位装置の総数が大きい場合であっても、上位装置との間で引き渡される語や応答のサイズの増加が抑制されている。なお、このような３ビットの語長は、上記の台数ｎに対して不等式mＣ2≧ｎが成立するユニークな最小の個数ｍ（＝７）の番号を表現可能なビット数（＝３≧log2(７)）である。
しかし、本発明はこのような構成に限定されず、例えば、下位装置の総数ｎが少なく、あるいは上位装置と下位装置との間に敷設されたケーブルを介する既述の２つの語および応答の情報量の増加が許容される場合には、下記の条件の双方または何れか一方が成立する語の組み合わせが上位装置１１-1、１１-2の第一ないし第四の通信ポートα０〜α３、β０〜β３に割り付けられてもよい。
・  上位装置１１-1、１１-2の第一ないし第四の通信ポートα０〜α３、β０〜β３にそれぞれ割り付けられた語に含まれる語Ａ１１〜Ａ１４、Ａ２１〜Ａ２４の全てがユニークである。
・  上記の条件(2)、(3) が成立しない。
【００４３】
さらに、上述した２つの語や応答の語長は、既述の下位装置の台数ｎが大きいほど顕著に短縮され、例えば、その台数ｎが「２５０」である場合には、９（≧log2(２５０×２))ビットから５（既述の不等式mＣ2≧ｎが成立するユニークな最小の個数ｍ（＝２３)の番号を表現可能なビット数(＝log2(３２)≧log2(２３)）ビットに短縮される。
［第二の実施形態］
以下、図１を参照して本発明の第二の実施形態の動作を説明する。
【００４４】
以下では、上位装置１１-1、１１-2に共通の事項については、これらの上位装置１１-1、１１-2の何れにも該当し得ることを意味する添え文字「Ｃ」を符号「１１」に付加して記述し、かつ第一ないし第四の通信ポートの内、該当する通信ポートを「第ｃの通信ポート」と表記する。
上位装置１１-Cは、その上位装置１１-Cの第ｃの通信ポートの伝送容量の余剰分を介して下位装置１２Ａ-1、１２Ａ-2、１２Ｂ-1、１２Ｂ-2宛に、既述の語（Ａ１１〜Ａ１４、Ａ２１〜Ａ２４の何れか）を送出する。
【００４５】
また、これらの下位装置１２Ａ-1、１２Ａ-2、１２Ｂ-1、１２Ｂ-2では、このような伝送容量の余剰分を介して上位装置１１-Cから引き渡された２つの語に基づいて応答を生成し、該当する通信ポートの伝送容量の余剰分を介してこれらの２つの語の送信元である２つの上位装置宛に、その応答を送出する。
なお、上述した伝送容量の余剰分には、例えば、下記の何れもが該当する。
・  ＡＴＭセルのスペアフィールド
・  既定の通信手順に基づいて送信され、かつ監視や制御に適用されるパケット
・  伝送サービスの対象となる伝送情報を含むパケットのスペアフィールド（ペイロードの一部であってもよい。）
すなわち、誤接続の検出の基準となる語や応答は、既存の伝送方式や通信手順が基本的に変更されることなく、上位装置１１-Cと下位装置１２Ａ-1、１２Ａ-2、１２Ｂ-1、１２Ｂ-2との間で柔軟に引き渡される。
【００４６】
したがって、本実施形態によれば、多様な伝送系に対する柔軟な適応が可能となり、その伝送系の保守や運用が円滑に、かつ効率的に実現される。
なお、本実施形態では、下位装置１２Ａ-1、１２Ａ-2、１２Ｂ-1、１２Ｂ-2による応答の送出と、その応答の生成に適用される２つの語との双方が既述の伝送容量の余剰分を介して伝送されている。
【００４７】
しかし、本発明はこのような構成に限定されず、これらの応答と２つの語との何れか一方が伝送容量の余剰分を介して伝送され、他方が該当する通信ポートの物理層を介して伝送されてもよい。
また、上述した各実施形態では、下位装置１２Ａ-1、１２Ａ-2、１２Ｂ-1、１２Ｂ-2は既述の２つの語の排他的論理和として応答を生成し、かつ上位装置１１-1、１１-2は既述の式(2) または式(4) に示される排他的論理和演算の結果に基づいてその応答が正規であるか否かの判定を行っている。
【００４８】
しかし、本発明はこのような構成に限定されず、記述の２つの語に応じて応答が一義的に定まり、その応答が正規であるか否かの判定が確実に行われるならば、応答の生成は、下記の何れの処理として実現されてもよい。
・  既述の式(1) で示される排他的論理和演算の結果、またはその排他的論理和演算の対象となる２つの語の双方もしくは何れか一方について、ビットの配置が変更される処理
・  ２つの語に基づく所定の符号化処理の結果、またはこれらの語の復号化の結果として応答が求められる処理
・  上記の２つの語に基づいて既定のテーブルがルックアップされることによって応答が求められる処理
・  下位装置の機能・階層その他の属性に応じて定まる演算対象と演算手順との双方または何れか一方に基づいて応答が求められる処理
さらに、上述した各実施形態では、既述の２つの語と応答との語長が共通となっている。
【００４９】
しかし、これらの語長は、上位装置１１-1、１１-2と下位装置１２Ａ-1、１２Ａ-2、１２Ｂ-1、１２Ｂ-2との間にケーブルを介して形成される通信リンクにおけるトラヒックの増加が許容される程度に少なく、かつこれらのケーブルの誤接続の検出が行われる頻度が十分に高く確保される場合には、どのような値であってもよく、さらに、異なる値であってもよい。
【００５０】
また、上述した各実施形態では、既述の２つの語および応答の値に制約が課されていない。
しかし、これらの値については、例えば、ケーブルの接続の漏れや切断の確実な検出を目的として、全てのビットが「１」または「０」である語が除外されることが望ましい。
さらに、上述した各実施形態では、上位装置１１-1、１１-2と下位装置１２Ａ-1、１２Ａ-2、１２Ｂ-1、１２Ｂ-2との間には、上りのリンクと下りのリンクとが共通ケーブルを介して形成されている。
【００５１】
しかし、これらの上りのリンクおよび下りのリンクは、既述の応答の生成と、その応答が正規であるか否かの判別とが確実に行われる場合には、異なるケーブルを介して形成されてもよい。
また、上述した各実施形態では、上位装置１１-1、１１-2と下位装置１２Ａ-1、１２Ａ-2、１２Ｂ-1、１２Ｂ-2との間に敷設されたケーブル３３-11A1、３３-12A1、３３-13B1、３３-14B1、３３-21A2、３３-22A2、３３-23B2、３３-24B2 について、誤接続、接続の漏れ、断線の検出を実現するために本発明が適用されている。
【００５２】
しかし、本発明は、このような誤接続の検出だけではなく、例えば、バックボード等を介して結線が完了している架やシェルフに着脱可能に実装されるパッケージやモジュールの位置が正規であるか否かの判別にも適用可能である。
さらに、上述した各実施形態では、ケーブル３３-11A1、３３-12A1、３３-13B1、３３-14B1、３３-21A2、３３-22A2、３３-23B2、３３-24B2は、両端に備えられた図示されないコネクタを介して、上位装置１１-1、１１-2や下位装置１２Ａ-1、１２Ａ-2、１２Ｂ-1、１２Ｂ-2に接続されている。
【００５３】
しかし、本発明はこのような構成に限定されず、これらのケーブル３３-11A1、３３-12A1、３３-13B1、３３-14B1、３３-21A2、３３-22A2、３３-23B2、３３-24B2の全てまたは一部は、半田付け、ラッピング、ジャンパリング（ＩＤＦ(Intermediate Distributing Frame)またはＭＤＦ(Main Distributing Frame)が介在する場合を含む。）によって、上位装置１１-1、１１-2や下位装置１２Ａ-1、１２Ａ-2、１２Ｂ-1、１２Ｂ-2に接続されてもよい。
【００５４】
また、上述した各実施形態では、階層的に冗長に配置された上位装置１１-1、１１-2や下位装置１２Ａ-1、１２Ａ-2、１２Ｂ-1、１２Ｂ-2によって構成される通信装置に、本発明が適用されている。
しかし、本発明は、このような通信装置に限定されず、所望の形態で機能分散と負荷分散との双方または何れか一方が図られた多様な装置に適用可能である。
【００５５】
さらに、上述した各実施形態では、上位装置１１-1、１１-2に常用冗長方式が適用され、かつ下位装置１２Ａ-1、１２Ａ-2、１２Ｂ-1、１２Ｂ-2に待機冗長方式が適用されている。
しかし、本発明は、このような冗長方式に限定されず、上記の機能分野や負荷分散が達成され、かつ所望の信頼性が確保される場合には、どのような冗長方式が適用されてもよい。
【００５６】
また、本発明は、上述した実施形態に限定されるものではなく、本発明の範囲において多様な形態の実施形態が可能であり、構成装置の全てまたは一部の如何なる改良が施されてもよい。
以下、上述した各実施形態として開示された技術を階層的・多面的に整理し、付記項として列記する。
（付記１）  下位装置との間に敷設された第一の布線および第二布線を介して前記下位装置と連係する上位装置において、
前記第一の布線に割り付けられた第一の情報を前記第一の布線を介して前記下位装置に引き渡す送出手段と、
前記第一の情報と、前記上位装置と異なる装置から引き渡された第二の情報とに基づいて前記下位装置によって生成され、かつ前記第二の布線を介して引き渡された応答に基づいて、前記第一の布線と第二の布線との双方または何れか一方の正誤を判別する判別手段と
を備えたことを特徴とする上位装置。
（付記２）  付記１に記載の上位装置において、
前記応答は、
前記第一の情報と前記第二の情報とに基づいて定まるユニークな語である
ことを特徴とする上位装置。
（付記３）  付記１または付記２に記載の上位装置において、
前記応答は、
前記第一の情報と前記第二の情報との排他的論理和である
ことを特徴とする上位装置。
（付記４）  付記３に記載の上位装置において、
前記第一の情報は、
前記第二の情報と前記応答との排他的論理和である
ことを特徴とする上位装置。
（付記５）  付記１ないし付記４の何れか１項に記載の上位装置において、
前記送出手段は、
前記第一の布線を介して形成された通信リンクの余剰の伝送帯域を介して前記下位装置に前記第一の情報を引き渡す
ことを特徴とする上位装置。
（付記６）  付記１ないし付記５の何れか１項に記載の上位装置において、
前記応答は、
前記第二の布線を介して形成された通信リンクの余剰の伝送帯域を介して前記下位装置から引き渡される
ことを特徴とする上位装置。
（付記７）  第一の布線を介して接続された第一の上位装置と、第二の布線を介して接続された第二の上位装置との双方または何れか一方と連係する下位装置において、
前記第一の布線と前記第二の布線とを介して、前記第一の上位装置と前記第二の上位装置とからそれぞれ引き渡された第一の情報と第二の情報とが反映された応答を生成し、かつ前記第一の布線を介して前記第一の上位装置宛に前記応答を引き渡す応答手段を備えた
ことを特徴とする下位装置。
（付記８）  付記７に記載の下位装置において、
前記応答手段は、
前記第二の布線を介して前記第二の上位装置宛に前記応答を引き渡す
ことを特徴とする下位装置。
（付記９）  付記７または付記８に記載の下位装置において、
前記応答手段は、
前記第一の布線と前記第二の布線との内、前記応答の引き渡しに供される一方の布線に対応した演算に基づいて前記応答を個別に生成する
ことを特徴とする下位装置。
（付記１０）  付記７または付記８に記載の下位装置において、
前記応答手段は、
前記第一の情報と前記第二の情報との排他的論理和として前記応答を生成する
ことを特徴とする下位装置。
（付記１１）  付記７ないし付記９の何れか１項に記載の下位装置において、
前記応答手段は、
前記応答に対する前記下位装置の属性の反映を図る
ことを特徴とする下位装置。
（付記１２）  それがれ非０の異なる値が割当てられた第１のポート群に含まれる第１のポートと、それぞれ非０の異なる値が割当てられた第２のポート群に含まれる第２のポートとを１つのユニットに接続する場合に、前記第１のポートと前記第２のポートとの組み合わせが所定の組み合わせに該当するかどうかを判定する判定方法において、
前記第１ポートから該ポートが割当てられた第１の値を前記ユニットヘ送信し、前記第２のポートから該ポートが割当てられた第２の値を前記ユニットヘ送信するステップと、
前記ユニットにて排他的論理和を求めた結果を前記第１ポート側前記第２ポート側のそれぞれに送信するステップと、
前記第１ポート側で、受信した結果と前記第１の値との排他的論理和を演算をし、演算結果が前記第２の値であるかどうか判定し、前記第２ポート側で、受信した結果と前記第２の値情報との所定の演算をし、演算結果が前記第１の値であるかどうか判定するステップと
を備えたことを特徴とする判定方法。
【図面の簡単な説明】
【００５７】
【図１】本発明の第一および第二の実施形態を示す図である。
【図２】上位装置に予め設定された語の値を示す図である。
【図３】本発明の第一の実施形態において検出される第一の誤接続の具体的な例を示す図である。
【図４】本発明の第一の実施形態において検出される第二の誤接続の具体的な例を示す図である。
【図５】本発明の第一の実施形態において検出される接続の漏れまたは断線の具体的な例を示す図である。
【図６】上位装置および下位装置が情調に備えられた基幹装置の構成例を示す図である。
【符号の説明】
【００５８】
１１，３１  上位装置
１２Ａ，１２Ｂ，３２Ａ，３２Ｂ  下位装置
３３  ケーブル
【図１】
2006031260.tif 000003
【図２】
2006031260.tif 000004
【図３】
2006031260.tif 000005
【図４】
2006031260.tif 000006
【図５】
2006031260.tif 000007
【図６】
2006031260.tif 000008